(57)【特許請求の範囲】
【請求項１】
標準記録モードと前記標準記録モードに対し２倍あるいは３倍の長時間記録を可能とする２倍あるいは３倍記録モードに対応し、主に映像信号の記録再生および特殊再生に使用すると共に、前記標準モードに対し４倍以上の長時間記録を可能とする４倍以上の長時間記録モードに対応し、映像信号の記録に使用する１組以上のヘッド対によって構成されるヘッド群Ａと、主に音声信号の記録再生に使用するヘッド対Ｂと、４倍以上の長時間記録モードの映像信号を再生するために使用するヘッド対Ｃとを備え、
前記ヘッド群Ａは、４倍以上の長時間記録モードのトラックピッチＰｘに対してＴｗｄ≦２×Ｐｘの関係にあるヘッド幅Ｔｗｄを有する４倍以上の長時間記録モードでの記録に使用するヘッド対Ｄを含み、前記ヘッド対Ｂは、３倍記録モードのトラックピッチＰ３および前記トラックピッチＰｘに対してＰ３＜Ｔｗｂ＜３×Ｐｘの関係にあるトラック幅Ｔｗｂを有し、前記ヘッド対Ｃは、前記トラックピッチＰｘに対してＴｗｃ≦Ｐｘの関係にあるトラック幅Ｔｗｃを有し、
４倍以上の長時間記録モードの再生時には、前記ヘッド対Ｃのトラック幅中心が前記ヘッド対Ｄにより記録された映像トラックの中心をトレースする場合に、前記ヘッド対Ｂが、前記ヘッド対Ｂにより記録された音声トラックをトレースする際に隣々接トラックをトレースしない関係に、前記ヘッド対Ｃを前記ヘッド対Ｂに対して配置したことを特徴とする磁気記録再生装置。
【発明の詳細な説明】
【０００１】
【発明の属する技術分野】
本発明は、標準記録モードに対し４倍以上の長時間記録モードを有する磁気記録再生装置に関するものである。
【０００２】
【従来の技術】
近年、磁気記録再生装置は低価格化が進み磁気テープのランニングコストの低下も求められている。しかしながら記録時間の長時間化は標準モードとその２倍、３倍の長時間記録が可能な記録モード（以下標準モードの２倍の長時間記録できるモードを２倍モード、３倍長時間記録を３倍モード、同様に４倍モード、５倍モード、６倍モードと称する。）までしか市場に導入されていなかった。
【０００３】
以下に従来の磁気記録再生装置について説明する。
【０００４】
従来、４倍以上の長時間記録として６倍モードの記録再生を可能にした磁気記録再生装置は特開平７−７３４０５号公報に記載されたものが知られている。その磁気記録再生装置を図３と図４に示す。図３及び図４は従来の磁気記録再生装置の回転ヘッドの構成を示す概略説明図である。大きな円周にある小さな○は取り付けられたヘッドを示す。図３において、３倍モードにおけるトラックピッチの２倍より若干狭いヘッド幅を有する標準モード用シングルヘッド対５（５Ｒ，５Ｌ）と３倍モードにおけるトラックピッチとほぼ等しいヘッド幅を有する３倍モード用ヘッド対７（７Ｒ，７Ｌ）、及び６倍モードにおけるトラックピッチの２倍より若干狭いヘッド幅を有する６倍モード用ヘッド対６（６Ｒ，６Ｌ）からなるダブルアジマス方式の４ヘッドと全てのモードに用いられる音声用ヘッド４（４Ｒ，４Ｌ）を設けているものである。
【０００５】
以上のように構成された従来の磁気記録再生装置について、以下その動作については、特開平７−７３４０５号公報に記載されたものに準じて説明する。
【０００６】
まず、シングルヘッド対５にて、標準モードの記録・再生、及び３倍モードの互換再生を行う。またヘッド対７にて３倍モードの記録・再生を行い、６倍モードにおける記録トラックピッチの２倍より若干狭いトラック幅を有し、アジマス角を±０度から±２０度の間に設定した６倍モード用ヘッド対６にて、６倍モードの記録再生を行う。
【０００７】
標準モード、３倍モード、６倍モードの特殊再生についてはフィールドメモリを用いたデジタル回路により補完している。
【０００８】
次に図４において示すヘッドの構成について説明する。１Ｒ，１Ｌ、９Ｒ，９Ｌで構成されているダブルアジマス方式４ヘッドのなかで１Ｒと１Ｌは標準モードの記録再生に用いられるヘッド対でヘッド対Ｅとする。９Ｒと９Ｌは３倍モードの記録再生に用いられるヘッド対でヘッド対Ｆとする。一般的に各ヘッドのヘッド幅は、ヘッド対Ｅで４９μｍ、ヘッド対Ｆで２６μｍ程度が選ばれる。また６倍モード用の記録再生用に８Ｒと８Ｌを設けており、これをヘッド対Ｇとする。ヘッド対Ｇのヘッド幅は６倍のトラックピッチの２倍より若干狭いヘッド幅に設定されている。さらに４Ｒと４Ｌからなるヘッド対をヘッド対Ｂとし、ヘッド対ＢはＨｉＦｉオーディオ用のヘッド対で標準、３倍、６倍の３モードの記録再生に共用して用いられる。一般的に互換再生を考え２６μｍ〜３０μｍのトラック幅が選ばれる。ヘッド対Ｅとヘッド対Ｆにて標準モードと３倍モードの互換再生、標準モード記録再生及び両モードの特殊再生を行う。また３倍モードの通常再生時には、隣接トラックからのクロストークが発生しないようにヘッド対Ｇを用いる。
【０００９】
【発明が解決しようとする課題】
しかしながら図３の構成では、特開平７−７３４０５号公報にも述べられているように全てのモードにおいて特殊再生時には、再生信号出力をＦＭ復調した後のビデオ信号と低域変換色信号とを１フィールド記憶するフィールドメモリを持つデジタル回路が必要となりコスト的な負担が大きいという問題点を有していた。
【００１０】
またアジマス角が従来のものと違うヘッドのついた４ヘッドや標準モード用に従来よりトラックピッチの狭いノーマルヘッドなどを新たに製造せねばならず、工場設備投資と数量のバランスからみてもコスト的な負担が大きいという問題点が予想される。
【００１１】
さらに図４の構成時には３倍モード記録再生時にクロストークを防ぐために再生ヘッドとして６倍モード用ヘッド対Ｇを用いるが反面、フルトラック再生に比べて出力が低下するという問題点がある。
【００１２】
また図３、図４に共通する点であるが、６倍のトラックピッチの２倍より若干狭いヘッド幅に設定されたヘッドにて６倍モードの記録再生専用を行っている。これは同一のヘッドで記録と再生をするので記録時にはＨｉＦｉ音声の消し残しを無くすという面でヘッド幅はトラックピッチよりも広くする必要があり、一方再生時には隣接トラックからのクロストークを除くためにはトラックピッチより狭くする必要があるというジレンマを有する。また同時にＨｉＦｉオーディオの音質を著しく劣化させるか、あるいは標準モードあるいは３倍モードにおいてＨｉＦｉオーディオ信号の互換再生に対する余裕が著しく削られるという問題点も有していた。この点に関しては、特開平７−７３４０５号公報には論じられていない。
【００１３】
この点を図５をもって６倍モードで説明する。図５は従来の磁気記録再生装置のヘッドがどのように記録トラックをトレースするかを概念的に示す図である。Ｐ１、Ｐ２、Ｐ３、Ｐ４は６倍モードのＨｉＦｉ音声と映像信号のトラックでありそのピッチをは９．６μｍでＰ１とＰ３、Ｐ２とＰ４はそれぞれ同アジマスである。
【００１４】
また必ずしもＨｉＦｉ音声トラックと映像トラックは一致しないがここでは説明を簡略化するため一致していることとする。ヘッドＢは標準、３倍、６倍モードの記録再生を行うＨｉＦｉヘッド対で図３、図４での４Ｌと４Ｒからなるヘッド対Ｂであり、そのヘッド幅は特開平７−７３４０５号公報に記されているように一般的に互換再生を考え２６μｍ〜３０μｍが選ばれる。ここでは２６μｍとして説明する。Ｇヘッドは６倍モードの記録再生を行う映像ヘッドで図３では７Ｌと７Ｒのヘッド対であり、図４では８Ｌと８Ｒからなるヘッド対Ｇである。
【００１５】
ヘッド対Ｇのヘッド幅（Ｔｗｇ）は６倍のトラックピッチの２倍より若干狭い幅（１９．２μｍ未満）に設定されている。
【００１６】
図５において音声の記録はヘッドＢにより行われる。ヘッドＢのヘッド幅は６倍モードの記録トラック９．６μｍより広いので図５のようなヘッドと記録トラックとの関係になる。同様にトラックピッチより広いヘッド幅を持つヘッドＧにより映像信号を記録していくので図５に示すようなヘッドＧと記録トラックの位置関係になる。次に再生時には音声用ヘッドＢがＰ２トラックをトレースする際にはＰ２に対して同アジマスの関係にあるＰ４のトラックをトレースすると著しい音質劣化を招くので例えばＢ’の位置に制御される。Ｐ２に対し２つ向こうの記録トラックが同アジマス（以下隣々接トラックと称する。図５においてＰ２の隣々接トラックはＰ４となる。また隣の記録トラックのことを隣接トラックと称する。Ｐ２の隣接トラックはＰ１とＰ３）。隣々接トラックをトレースしない最も余裕の取れる位置、つまりＰ２トラックの中心とヘッドＢのセンターの中心が重なるように記録の位置から（２６μｍ−９．６μｍ）／２＝８．２μｍだけずらして制御した結果がＢ’となる。これにより隣々接トラックからの強烈なクロストークの影響を受けずにすむことになる。しかしヘッドＢを８．２μｍずらすと同じように映像のＧヘッドも８．２μｍだけずれるので本来Ｐ２のトラックをＧヘッドはトレースしたいのだから８．２μｍだけＧヘッドのヘッド幅を広くする必要が生じる。するとＧヘッドは９．６μｍの正規の信号をＰ２トラックから再生すると同時に８．２μｍもの隣接トラックＰ１からのクロストークを受けることになる。これはアジマス角を変えたヘッド対７でも画質劣化の影響は受けざるを得ない。逆にヘッドＢ幅を狭くすることでヘッドＢが同アジマストラックＰ４の影響を受けないようにしようとすると特に標準モードでのＦＭ音声の互換保証が難しくなる。
【００１７】
本発明は上記従来の問題点を解決するもので、ＨｉＦｉヘッドのトラックピッチを狭くすることなく４倍以上の長時間記録モードにおいてＨｉＦｉヘッドが隣々接トラックを拾うことを防ぎ良好な音質を提供、また映像についても隣接トラックからのクロストークのない良好な画質を提供し、かつ標準モード、３倍モードの特殊再生も従来通りフィールドメモリを使用せずに成立させる磁気記録再生装置を提供することを目的とする。
【００１８】
【課題を解決するための手段】
この目的を達成するために本発明の磁気記録再生装置は、標準記録モードと前記標準記録モードに対し２倍あるいは３倍の長時間記録を可能とする２倍あるいは３倍記録モードに対応し、主に映像信号の記録再生および特殊再生に使用すると共に、前記標準モードに対し４倍以上の長時間記録を可能とする４倍以上の長時間記録モードに対応し、映像信号の記録に使用する１組以上のヘッド対によって構成されるヘッド群Ａと、主に音声信号の記録再生に使用するヘッド対Ｂと、４倍以上の長時間記録モードの映像信号を再生するために使用するヘッド対Ｃとを備え、前記ヘッド群Ａは、４倍以上の長時間記録モードのトラックピッチＰｘに対してＴｗｄ≦２×Ｐｘの関係にあるヘッド幅Ｔｗｄを有する４倍以上の長時間記録モードでの記録に使用するヘッド対Ｄを含み、前記ヘッド対Ｂは、３倍記録モードのトラックピッチＰ３および前記トラックピッチＰｘに対してＰ３＜Ｔｗｂ＜３×Ｐｘの関係にあるトラック幅Ｔｗｂを有し、前記ヘッド対Ｃは、前記トラックピッチＰｘに対してＴｗｃ≦Ｐｘの関係にあるトラック幅Ｔｗｃを有し、４倍以上の長時間記録モードの再生時には、前記ヘッド対Ｃのトラック幅中心が前記ヘッド対Ｄにより記録された映像トラックの中心をトレースする場合に、前記ヘッド対Ｂが、前記ヘッド対Ｂにより記録された音声トラックをトレースする際に隣々接トラックをトレースしない関係に、前記ヘッド対Ｃを前記ヘッド対Ｂに対して配置した構成を有している。
【００１９】
この構成によって、従来のダブルアジマス方式の４ヘッドとＨｉＦｉヘッドを使用できる。従って標準モード及び２倍あるいは３倍モードの記録・再生と特殊再生が従来通り可能となるので、再生信号出力をＦＭ復調した後のビデオ信号と低域変換色信号とを１フィールド記憶するフィールドメモリを持つデジタル回路は不要でありコスト的な負担が少ない。
【００２０】
また、新たに追加するヘッド対Ｃも従来と同じアジマス角で構成しているため、工場設備投資も少なくてすむ。
【００２１】
さらに、４倍以上の長時間記録モードの再生時には専用のヘッド対Ｃを設けており、３倍モード記録再生時には従来と同じフルトラック再生を行うので出力が低下することがない。
【００２２】
このようにして、４倍以上の長時間記録モードの再生時において隣々接トラックの影響のない良好な音声と隣接トラックからのクロストークのない良好な画質を提供することができる。
【００２３】
【発明の実施の形態】
本発明の請求項１に記載の発明は、標準記録モードと前記標準記録モードに対し２倍あるいは３倍の長時間記録を可能とする２倍あるいは３倍記録モードに対応し、主に映像信号の記録再生および特殊再生に使用すると共に、前記標準モードに対し４倍以上の長時間記録を可能とする４倍以上の長時間記録モードに対応し、映像信号の記録に使用する１組以上のヘッド対によって構成されるヘッド群Ａと、主に音声信号の記録再生に使用するヘッド対Ｂと、４倍以上の長時間記録モードの映像信号を再生するために使用するヘッド対Ｃとを備え、前記ヘッド群Ａは、４倍以上の長時間記録モードのトラックピッチＰｘに対してＴｗｄ≦２×Ｐｘの関係にあるヘッド幅Ｔｗｄを有する４倍以上の長時間記録モードでの記録に使用するヘッド対Ｄを含み、前記ヘッド対Ｂは、３倍記録モードのトラックピッチＰ３および前記トラックピッチＰｘに対してＰ３＜Ｔｗｂ＜３×Ｐｘの関係にあるトラック幅Ｔｗｂを有し、前記ヘッド対Ｃは、前記トラックピッチＰｘに対してＴｗｃ≦Ｐｘの関係にあるトラック幅Ｔｗｃを有し、４倍以上の長時間記録モードの再生時には、前記ヘッド対Ｃのトラック幅中心が前記ヘッド対Ｄにより記録された映像トラックの中心をトレースする場合に、前記ヘッド対Ｂが、前記ヘッド対Ｂにより記録された音声トラックをトレースする際に隣々接トラックをトレースしない関係に、前記ヘッド対Ｃを前記ヘッド対Ｂに対して配置したことを特徴としたものであり、４倍以上の長時間記録時にはヘッド幅が確実に４倍以上の長時間記録時のトラックピッチより広いヘッド幅をもつヘッド群Ａの１対のヘッド（ヘッド対Ｄ）で映像を、またヘッド対ＢでＦＭ音声を記録してＦＭ音声の映像信号による消し残しを防ぎヘッド対Ｃを４倍以上の長時間記録モードでの映像信号の再生専用ヘッドとして使用することにより、４倍以上の長時間記録モードを持たない従来の磁気記録再生装置と同じヘッド群Ａの構成をもつことが可能になり、標準、２倍あるいは３倍の特殊再生が可能となるという作用を有する。
また、４倍以上の長時間記録モードの再生時には映像信号の再生専用に設けられたヘッドＣのヘッド幅中心がそのヘッド幅に関わらず記録されている映像トラックの中心に一致させてトレースする場合にヘッド対Ｂのトラックの中心が記録されているＦＭ音声のトラックの中心に対しほぼ一致するようにあるいは少しずらしてヘッド対Ｂをトレースさせ、ヘッド対Ｂが隣々接トラックをトレースしないようにすることにより、４倍モード以上の長時間記録再生において隣々接トラックの影響のない良好な音声を得ることができるという作用を有する。
さらに、標準と２倍あるいは３倍モードの互換再生を保証しながら、しかも４倍以上の長時間記録モードの再生時には隣々接トラックをトレースしないようにヘッド対Ｂを制御することが可能となるという作用を有する。
また、４倍以上の長時間記録モードの再生時に隣接トラックからのクロストーク影響の少ない映像信号を得ることができるという作用を有する。
【００２７】
以下、本発明の磁気記録再生装置の実施の形態について、図１乃至図３を用いて説明する。
【００２８】
（実施の形態１）
図１は本発明の実施の形態１における磁気記録再生装置のヘッド構成を示す図である。大きな円周にある小さな○（１Ｒ，１Ｌ，２Ｒ，２Ｌ，３Ｒ，３Ｌ，４Ｒ，４Ｌ）はそれぞれヘッドを示す。まず１Ｒ，１Ｌ，２Ｒ，２Ｌで構成されているのがヘッド群Ａでこれはダブルアジマス方式の４ヘッドである。そのヘッド群Ａの中の２Ｒと２Ｌのヘッド対をヘッド対Ｄと呼ぶ。ヘッド対Ｄのヘッド幅（Ｔｗｄ）はＴｗｄ≦２×Ｐｘの関係に設定されている。ここでＰｘは４倍以上の長時間記録モードのトラックピッチである。
【００２９】
次に４Ｌと４Ｒからなるヘッド対をヘッド対Ｂと呼ぶ。ヘッド対Ｂのヘッド幅（Ｔｗｂ）はＰ３＜Ｔｗｂ＜３×Ｐｘの関係に設定されている。ここでＰ３は２倍あるいは３倍モードにおけるトラックピッチである。
【００３０】
次に３Ｒと３Ｌからなるヘッド対をヘッド対Ｃと呼ぶ。ヘッド対Ｃのヘッド幅（Ｔｗｃ）はＴｗｃ≦Ｐｘに設定されている。
【００３１】
以上のように構成されたヘッド構成を持つ磁気記録再生装置についてその動作を説明する。ヘッド群Ａは標準モードと２倍あるいは３倍モードの映像の記録再生及び特殊再生ならびに４倍以上の長時間モードの映像の記録に用いられるヘッドであり、４倍以上の長時間モードの映像の記録にはヘッド群Ａのヘッド対Ｄが用いられる。また、ヘッド対Ｂは標準、２倍、３倍、４倍以上の全てのモードのＦＭ音声の記録再生および特殊再生に用いられるヘッドであり、ヘッド対Ｃは４倍以上の長時間モードの映像信号の再生のみに用いられるヘッドである。ここで、ヘッド群Ａはダブルアジマス方式の４ヘッドを構成するので、標準、２倍、３倍の映像と音声の記録再生と特殊再生については従来公知の技術であるので、ここでは論じない。
【００３２】
次に図２を用いて４倍以上の長時間記録時の動作について説明を行う。図２は本発明の実施の形態１における磁気記録再生装置のヘッドが４倍以上の長時間モードの記録トラックに対してどのようにトレースするかを概念的に示す図である。Ｑ１、Ｑ２、Ｑ３、Ｑ４は４倍以上の長時間モードのＨｉＦｉ音声と映像信号のトラックでありそのピッチをＰｘとする。またＱ１とＱ３、Ｑ２とＱ４はそれぞれ同アジマスの関係にある。同様にＱ２に対してはＱ１とＱ３が逆アジマスの関係にある。
【００３３】
また必ずしもＨｉＦｉ音声トラックと映像トラックは一致しないがここでは説明を簡易的に行うため一致していることとする。
【００３４】
図中ＢとＢ’は図１における４Ｒと４Ｌからなるヘッド対ＢでＦＭ音声の記録再生を行う。Ｂはその記録時の位置を示し、４倍以上の長時間記録モードの再生時にはＢ’の位置に制御される。同様にＤとＤ’は図１における２Ｌと２Ｒから成るヘッド対Ｄで４倍以上の長時間記録時には映像の記録を行う。４倍以上の長時間記録モードの再生時にはそのヘッド出力は用いられない。図中ＣとＣ’は図１における３Ｒと３Ｌからなるヘッド対Ｃであり４倍以上の長時間記録モードの記録時には用いられない映像の再生専用ヘッドである。
【００３５】
図２において音声の記録はヘッドＢにより行われる。ヘッドＢのヘッド幅はＰｘより広いので図２のようなヘッドと記録トラックとの関係になる。同様にトラックピッチより広いヘッド幅を持つヘッドＤにより映像信号を記録していくので図２に示すようなヘッドＤと記録トラックの位置関係になる。ただしヘッドＤのヘッド幅は２×Ｐｘ以下であるのでＱ２トラックを記録しているときには同アジマスであるＱ４トラックに対しては影響を与えない。つまり同アジマスの重ね書きは行われない。
【００３６】
次に４倍以上の長時間記録モードの再生時には例えばヘッド対Ｃの再生出力が最大となるようにオートトラッキングを働かせる。このヘッドＣはヘッド幅Ｔｗｃ≦Ｐｘに設定されているので、Ｑ２トラックの信号だけをトレースすることができ、隣接トラックであるＱ１とＱ３の映像からのクロストークを全く受けない再生映像信号を得ることができる。これにより４倍以上の長時間記録モードの再生時にヘッドＣの中心とＱ２トラックの中心が重なるようにすることができる。音声については、以下の様に再生される。音声用ヘッドＢがＱ２トラックをトレースする際にはＢ’の位置にずれる。これは同アジマスであるＱ４をトレースすることのないようにこの場合は最も余裕の取れる位置、すなわちＱ２トラックの中心とヘッドＢの中心が重なるようにするために記録の位置から（Ｔｗｂ−Ｐｘ）／２だけずらしたものである。このずらす距離はヘッドＢに対するヘッドＣのヘッド高さ、あるいは回転ヘッドシリンダー上の位置を調整することにより得ることができ、ヘッドＣの中心とヘッドＢの中心が共にＱ２トラックの中心と一致する。これによりヘッドＢは同アジマスからの強烈なクロストークの影響を受けずにすむことになる。映像については上述の様にヘッド対Ｃによるオートトラッキングを用いることにより、４倍以上の長時間記録モードの再生時にヘッドＣの中心とＱ２トラックの中心が重なるようにすることができる。この結果、ヘッドＢを（Ｔｗｂ−Ｐｘ）／２ずらすと同じようにヘッドＤもヘッドＣも（Ｔｗｂ−Ｐｘ）／２だけずれ、それぞれＤ’とＣ’の位置になる。このずらす距離はヘッドＤに対するヘッドＣのヘッド高さ、あるいは回転ヘッドシリンダー上の位置を調整することにより得ることができる。尚、ヘッドＣは記録には用いられない。
【００３７】
この構成によって、従来のダブルアジマス方式の４ヘッドとＨｉＦｉヘッドを使用できる。従って標準モード及び２倍あるいは３倍モードの記録・再生と特殊再生が従来通り可能となるので、再生信号出力をＦＭ復調した後のビデオ信号と低域変換色信号とを１フィールド記憶するフィールドメモリを持つデジタル回路は不要でありコスト的な負担が少ない。
【００３８】
また、新たに追加するヘッド対Ｃも従来と同じアジマス角で構成しているため、工場設備投資も少なくてすむ。
【００３９】
さらに、４倍以上の長時間記録モードの再生時には専用のヘッド対Ｃを設けており、３倍モード記録再生時には従来と同じフルトラック再生を行うので出力が低下することがない。
【００４０】
４倍以上の長時間記録モードとして５倍モードが実際的であるがこれについて説明する。５倍モードが実際的であるのは次の理由による。ＶＨＳ方式（日本ビクター株式会社の商標）ではＮＴＳＣ方式の標準モードのトラックピッチは５８μｍである。ヘッドＤは３倍モード及びＮ倍モードにおいて共に記録時に使用するものである。３倍モードにおけるトラックピッチＰ３は５８μｍ／３＝１９．３μｍである。従ってヘッドＤのヘッド幅Ｔｗｄは１９．３μｍ以上でなければならない。一方、Ｎ倍モードにおけるトラックピッチは５８μｍ／Ｎである。映像信号の重ね書きによる画質劣化を抑圧しＮ倍モード記録時にヘッド対Ｄによる同アジマスの重ね書きを避けるためにはヘッドＤのヘッド幅ＴｗｄはＴｗｄ≦２×５８／Ｎでなければならない。
【００４１】
従って１９．３μｍ≦Ｔｗｄ≦２×５８μｍ／Ｎを満たす整数Ｎは６以下となる。機械的バラツキを考慮すれば整数Ｎの最大値は５となる。すなわち、５倍モードが実際的である。
【００４２】
以上のように本実施の形態１によれば、４倍以上の長時間記録モードの記録時にはヘッド幅が確実に４倍以上の長時間記録モードの記録時のトラックピッチよりも広いヘッド幅をもつヘッド群Ａの１対のヘッドで映像を、またヘッド対ＢでＦＭ音声を記録してＦＭ音声の映像信号による消し残しを防ぎヘッド対Ｃを４倍以上の長時間記録モードでの映像信号の再生専用ヘッドとして使用することにより、４倍以上の長時間記録モードを持たない従来磁気記録再生装置と同じヘッド群Ａの構成をもつことが可能になり、標準、２倍あるいは３倍の特殊再生が可能となる。
【００４３】
また、４倍以上の長時間記録モードの再生時には映像信号の再生専用に設けられたヘッドＣのヘッド幅中心がそのヘッド幅に関わらず記録されている映像トラックの中心に一致させてトレースする場合にヘッド対Ｂのトラックの中心が記録されているＦＭ音声のトラックの中心に対しほぼ一致するようにあるいは少しずらせてヘッド対Ｂをトレースさせ、ヘッド対Ｂが隣々接トラックをトレースしないようにすることにより、４倍以上の長時間記録モードの再生時において隣々接トラックの影響のない良好な音声を得ることができる。
【００４４】
また、再生信号出力をＦＭ復調した後のビデオ信号と低域変換色信号とを１フィールド記憶するフィールドメモリを持つデジタル回路は不要でありコスト的な負担が少ない。
【００４５】
また、新たに追加するヘッド対Ｃも従来と同じアジマス角で構成しているため、工場設備投資も少なくてすむ。
【００４６】
さらに、４倍以上の長時間記録モードの再生時には専用のヘッド対Ｃを設けており、３倍モード記録再生時には従来と同じフルトラック再生を行うので出力が低下することがない。
【００４７】
また、ヘッド群Ａの中で４倍以上の長時間記録モードでの記録に使用するヘッド対Ｄのヘッド幅Ｔｗｄが４倍以上の長時間記録モードのトラックピッチＰｘに対してＴｗｄ≦２×Ｐｘの関係にしたことにより４倍以上の長時間記録時にヘッドＤによる同アジマスの重ね書きをしないことになるため映像信号の重ね書きによる画質劣化を抑圧することができる。
【００４８】
また、ヘッド対Ｂのヘッド幅Ｔｗｂが３倍の長時間記録モードのトラックピッチＰ３および４倍以上の長時間記録モードのトラックピッチＰｘに対してＰ３＜Ｔｗｂ＜３×Ｐｘの関係にあるとしたことにより標準と２倍あるいは３倍モードの互換再生を保証しながら、しかも４倍以上の長時間記録モードの再生時には隣々接トラックをトレースしないようにヘッド対Ｂを制御することが可能となる。
【００４９】
また、ヘッド対Ｃのヘッド幅Ｔｗｃが４倍以上の長時間記録モードのトラックピッチＰｘに対しＴｗｃ≦Ｐｘの関係にしたことにより４倍以上の長時間記録モード再生時に隣接トラックからのクロストーク影響の少ない映像信号を得て良好な画質を提供することができる。
【００５０】
尚、本実施の形態１として、説明を簡略化するために映像記録トラックと音声記録トラックが重なった場合について述べたが、重なっていない場合はＱ２トラックの中心とヘッドＢのセンターの中心が重なるように制御することがベストでない場合もある。この時は最もいい位置に少しずらす必要が生じる。
【００５１】
【発明の効果】
以上のように本発明は、４倍以上の長時間記録モードの記録時にはヘッド幅が確実に４倍以上の長時間記録モードの記録時のトラックピッチよりも広いヘッド幅をもつヘッド群Ａの１対のヘッドで映像を、またヘッド対ＢでＦＭ音声を記録してＦＭ音声の映像信号による消し残しを防ぎヘッド対Ｃを４倍以上の長時間記録モードでの映像信号の再生専用ヘッドとして使用することにより、４倍以上の長時間記録モードを持たない従来磁気記録再生装置と同じヘッド群Ａの構成をもつことが可能になり、標準、２倍あるいは３倍の特殊再生が可能となるという優れた効果が得られる。また、４倍以上の長時間記録モードの再生時には映像信号の再生専用に設けられたヘッドＣのヘッド幅中心がそのヘッド幅に関わらず記録されている映像トラックの中心に一致させてトレースする場合にヘッド対Ｂのトラックの中心が記録されているＦＭ音声のトラックの中心に対しほぼ一致するようにあるいは少しずらせてヘッド対Ｂをトレースさせ、ヘッド対Ｂが隣々接トラックをトレースしないようにすることにより、４倍以上の長時間記録モードの再生時において隣々接トラックの影響の少ない良好な音声を得ることができるという優れた効果が得られる。
【００５２】
また、再生信号出力をＦＭ復調した後のビデオ信号と低域変換色信号とを１フィールド記憶するフィールドメモリを持つデジタル回路は不要でありコスト的な負担が少ないという優れた効果が得られる。
【００５３】
また、新たに追加するヘッド対Ｃも従来と同じアジマス角で構成しているため、工場設備投資も少なくてすむという優れた効果が得られる。
【００５４】
さらに、４倍以上の長時間記録モードの再生時には専用のヘッド対Ｃを設けており、３倍モード記録再生時には従来と同じフルトラック再生を行うので出力が低下することがないという優れた効果が得られる。
【００５５】
また、ヘッド群Ａの中で４倍以上の長時間記録モードでの記録に使用するヘッド対Ｄのヘッド幅Ｔｗｄが４倍以上の長時間記録モードのトラックピッチＰｘに対してＴｗｄ≦２×Ｐｘの関係にしたことにより４倍以上の長時間記録時にヘッドＤによる同アジマスの重ね書きをしないことになるため映像信号の重ね書きによる画質劣化を抑圧することができるという優れた効果が得られる。
【００５６】
また、ヘッド対Ｂのヘッド幅Ｔｗｂが３倍の長時間記録モードのトラックピッチＰ３および４倍以上の長時間記録モードのトラックピッチＰｘに対してＰ３＜Ｔｗｂ＜３×Ｐｘの関係にあるとしたことにより標準と２倍あるいは３倍モードの互換再生を保証しながら、しかも４倍以上の長時間記録モードの再生時には隣々接トラックをトレースしないようにヘッド対Ｂを制御することが可能となるという優れた効果が得られる。
【００５７】
また、ヘッド対Ｃのヘッド幅Ｔｗｃが４倍以上の長時間記録モードのトラックピッチＰｘに対しＴｗｃ≦Ｐｘの関係にしたことにより４倍以上の長時間記録モード再生時に隣接トラックからのクロストーク影響の少ない映像信号を得て良好な画質を提供することができるという優れた効果が得られる。
【図面の簡単な説明】
【図１】本発明の実施の形態１における磁気記録再生装置のヘッド構成を示す図
【図２】本発明の実施の形態１における磁気記録再生装置のヘッドがどのように記録トラックをトレースするかを概念的に示す図
【図３】従来の磁気記録再生装置のヘッド構成を示す概略説明図
【図４】従来の磁気記録再生装置のヘッド構成を示す概略説明図
【図５】従来の磁気記録再生装置のヘッドがどのように記録トラックをトレースするかを概念的に示す図
【符号の説明】
１  標準モード用ヘッド
２  ２倍あるいは３倍モード用ヘッド
３  ４倍以上の長時間記録モードでの再生専用ヘッド
４  全モード用ＦＭ音声用ヘッド
５  従来の標準モード用ヘッド
６  従来の６倍モード用ヘッド
７  従来の３倍モード用ヘッド
８  従来の６倍モード用ヘッド
９  従来の３倍モード用ヘッド
Ｐ  ６倍モード時の記録トラック
Ｑ  ４倍以上の長時間記録モードでの記録トラック
Ａ  標準モード用ヘッドと２倍あるいは３倍モードと４倍以上の長時間記録モードの記録にのみ用いるヘッドで構成されるダブルアジマス方式のヘッド群
Ｂ  全モード用ＦＭオーディオヘッド対
Ｃ  ４倍以上の長時間記録モードでの再生専用ヘッド対
Ｄ  ヘッド群Ａの中で２倍あるいは３倍モードと４倍以上の長時間記録モードの記録にのみ用いるヘッド対
Ｅ  従来の標準モード用ヘッド対
Ｆ  従来の３倍モード用ヘッド対
Ｇ  従来の６倍モードの記録再生に用いられるヘッド対
【図１】
0003585777.tif 000002
【図２】
0003585777.tif 000003
【図３】
0003585777.tif 000004
【図４】
0003585777.tif 000005
【図５】
0003585777.tif 000006